(57)【要約】【課題】ＰＲＣ橋桁を構築する際、ＰＣ鋼材を安定して支持する。【解決手段】橋軸方向の主筋を取り囲んで配置されるスターラップの内側にＰＣ鋼材を前記橋桁方向に配置して構築されるＰＲＣ橋桁における前記ＰＣ鋼材の支持具であって、左右一対の側板部の下端同士を水平板部で連結した鋼板製のフレームと、前記側板部間に架け渡す鋼棒製の棚材とを備え、前記フレームは、前記水平板部を前記主筋のうちの下側鉄筋またはその組み立て筋上に結束すると共に、前記一対の側板部それぞれを前記スターラップの左右縦筋それぞれに結束する。【選択図】図８
2014224342.tif 000002
【特許請求の範囲】
【請求項１】
橋軸方向の主筋を取り囲んで配置されるスターラップの左右縦筋の間にＰＣ鋼材を前記橋軸方向に配置して構築されるＰＲＣ橋桁における前記ＰＣ鋼材の支持具であって、
左右一対の側板部の下端に水平板部を設けてなる鋼板製のフレームと、
前記側板部間に架け渡す鋼棒製の棚材とを備え、
前記フレームは、前記水平板部を前記主筋のうちの下側鉄筋またはその組み立て筋上に配置すると共に、前記一対の側板部それぞれを前記スターラップの左右縦筋それぞれに固定することを特徴としたＰＣ鋼材の支持具。
【請求項２】
フレームは、左右一対の側板部を水平板部で連結してなる請求項１記載のＰＣ鋼材の支持具。
【請求項３】
フレームは、側板部の下端に水平板部を設けたＬ字形の分割フレームを左右一対に備えてなり、互いの水平板部が対向するように各分割フレームの側板部それぞれをスターラップの左右縦筋それぞれに固定する請求項１記載のＰＣ鋼材の支持具。
【請求項４】
棚材は鋼棒の一端に抜け止め用の屈曲部を設けてなり、一対の側板部には前記鋼棒を挿通する貫通孔を設けた請求項１、２または３記載のＰＣ鋼材の支持具。
【請求項５】
一対の側板部には貫通孔を上下方向に複数設けた請求項４記載のＰＣ鋼材の支持具。
【請求項６】
棚材はさらに鋼棒の他端にも屈曲部を設けてなり、少なくとも一方の側板部にはさらに貫通孔から斜め上方に向かって一側縁に開口する棚材受け用のスリットを設けた請求項４または５記載のＰＣ鋼材の支持具。
【請求項７】
一対の側板部のうち一方のみに棚材受け用のスリットを設けると共に、棚材は丸鋼棒の両端に屈曲部を設けてなり、当該棚材は、一端を他方の側板部の貫通孔に内側から挿入し、当該貫通孔を支点として回動して、その他端側を前記棚材受け用スリットに係合させる請求項６記載のＰＣ鋼材の支持具。
【請求項８】
水平板部の中央から補助鋼板を立設し、該補助鋼板にも棚材の貫通孔または棚材受け用のスリットを設けた請求項１、２、または４から７のうち何れか一項記載のＰＣ鋼材の支持具。
【請求項９】
水平板部と側板部は溶接によって接合した請求項１から８のうち何れか一項記載のＰＣ鋼材の支持具。
【発明の詳細な説明】
【技術分野】
【０００１】
この発明は、ＰＲＣ橋桁を構築する際に用いるＰＣ鋼材の支持具に関する。
【背景技術】
【０００２】
特許文献１には、鋼板で箱桁を組み、シースに高張力鋼線を複数本挿通してなるＰＣ鋼材を前記箱桁内のスパン方向に張り渡して、コンクリートの打設後、ＰＣ鋼材を緊張することにより、コンクリートにプレストレス（圧縮力）を付与する橋桁の構築方法が開示されている。当該方法においてＰＣ鋼材は、箱桁の両側壁を形成するウェブの一方に、その内面から他方ウェブに向かって水平に設けた片持ちのラック上に載置して支持されている。
【０００３】
ラックは上下数段のものをスパン方向に複数列設け、適当な段のラックにＰＣ鋼材を載置することで、特許文献１ではＰＣ鋼材をスパン中央で箱桁の底板に近接するように弓なりに湾曲して張り渡している。
【先行技術文献】
【特許文献】
【０００４】
【特許文献１】特開２００３−１３８５２０号公報
【発明の概要】
【発明が解決しようとする課題】
【０００５】
特許文献１は、鋼板による箱桁（鋼桁）と、コンクリートと、ＰＣ鋼材とを組み合わせて橋桁を構築する方法を開示したものであって、鉄筋と、コンクリートと、ＰＣ鋼材を組み合わせてなるＰＲＣ橋桁の構築方法を開示したものではない。つまり、ＰＲＣ橋桁では特許文献１のウェブに相当する部材が存在しないため、そのラック構造を採用することができない。
【０００６】
また、特許文献１のように片持ち状のラックでは、ＰＣ鋼材の荷重によって先端側が下方に撓るおそれがあり、安定性に欠ける。
【０００７】
本発明の目的とするところは、ＰＲＣ橋桁を構築する際、ＰＣ鋼材を安定して支持することができる技術を開示することである。
【課題を解決するための手段】
【０００８】
上述した目的を達成するために本発明では、橋軸方向の主筋を取り囲んで配置されるスターラップの左右縦筋の間にＰＣ鋼材を前記橋軸方向に配置して構築されるＰＲＣ橋桁において、コンクリートの打設前に前記ＰＣ鋼材を支持するために用いる金具として、左右一対の側板部の下端に水平板部を設けてなる鋼板製のフレームと、前記側板部間に架け渡す鋼棒製の棚材とを備え、前記フレームは、前記水平板部を前記主筋のうちの下側鉄筋またはその組み立て筋上に配置すると共に、前記一対の側板部それぞれを前記スターラップの左右縦筋それぞれに固定するという手段を用いる。
【０００９】
本発明の支持具では、水平板部は側板部をスターラップの縦筋に固定するまでの位置決めとしてフレームの設置ベースとして機能する。そして、側板部は棚材を架け渡す脚部として機能し、左右一対の側板部によって棚材の両端を支持するため、十分な耐荷重が得られる。
【００１０】
本発明においてフレームは、一体型と分割型が存在する。即ち、一体型フレームは、左右一対の側板部を一の水平板部で連結してなり、正面視で上部開放のコ字状フレームをなす。このフレームによれば、水平板部により側板部の間隔が一定に保持されているため、施工が容易である。また、側板部間にわたって水平板部が存在するため、配置時の安定性が増す。
【００１１】
これに対して分割型フレームは、側板部の下端に水平板部を設けたＬ字形の分割フレームを左右一対に備えてなる。そして、互いの水平板部が対向するように各分割フレームの側板部それぞれをスターラップの左右縦筋それぞれに結束等により固定する。各分割フレームにおいて水平板部が設置ベースとして機能することは一体型フレームと変わるところはないが、それぞれを独立して配置することができるため、現場への適用性が高まる。つまり、水平板部を配置する主筋（下側鉄筋）や組み立て筋は、通常、２本一組で配筋されているが、これら２本の間隔は橋桁の規模等で異なる。このため、側板部を固定するスターラップの縦筋の左右間隔も現場で異なってくるが、分割型フレームであれば、こうした配筋間隔に応じて分割フレームの間隔を調整して配置することができる。また、本発明の支持具は、橋軸方向に多数配列されるが、分割型フレームは、一体型フレームよりも水平板部の鋼板長を短くできるため、支持具一つ当たりの材料費も低減することができる。
【００１２】
なお、一体型フレームと分割型フレームは、あるスパンでは一体型を使用し、他のスパンでは分割型を使用するというように、同一現場で併用することができる。
【００１３】
一体型フレームの場合、棚材は当初より側板部に一体に設けておくことも考えられるが、一体型・分割型のいずれのフレームにおいても、一対の側板部に貫通孔を設けておき、これに鋼棒製の棚材を挿通して架け渡すようにすれば、より簡単に支持具を構成することができる。この場合、鋼棒の一端には抜け止め用の屈曲部を設けておくことが好ましい。
【００１４】
また、一対の側板部に貫通孔を上下方向に複数設けることによって、棚材の高さを変更することができる。さらに、棚材を上下に複数段設けることもできる。
【００１５】
ところで、鋼棒製の棚材を側板部の貫通孔に挿通する場合、棚材を水平に差し込まなければならないが、側板部の間隔が大きく貫通孔が離れている場合は、棚材の重みによって水平に差込むことが困難となる。また、円筒型枠によって中空床版橋を構築する場合は、スターラップと円筒型枠のかぶりが小さく、そもそも側板部の側方に棚材を差し込むスペースが確保できないことがある。そこで、フレームの正面から棚材の両端を側板部の貫通孔に同時に架け渡すことができるようにするために、本発明では、一対の側板部にはさらに貫通孔から斜め上方に向かって一側縁に開口する棚材受け用のスリットを設けるという手段を用いる。この場合、棚材はさらに鋼棒の他端にも屈曲部を設けてなることが好ましい。棚材が棒軸方向に側板部から抜け出すことを防止できるからである。
【００１６】
上述した棚材受け用のスリットは一対の側板部の双方に設けることもできるが、そうすると、支持具に振動や衝撃が加わったときに、棚材の一端が、また最悪の場合、両端ともスリットから抜け出すことが想定される。特に、スリットの深さが浅かったり、傾斜角度が小さい場合、当該危険性が増す。そして、このような脱落は、棚材の両端屈曲部によっては防止することができない。そこで、本発明では、一対の側板部のうち一方のみに棚材受け用のスリットを設け、他方の側板部には単なる貫通孔を設けるという手段を選択的に用いる。
【００１７】
この場合、棚材は、一端を他方の側板部の貫通孔に内側から挿入し、当該貫通孔を支点として回動して、その他端側を前記棚材受け用スリットに係合させることが簡便であるため、丸鋼棒の両端に屈曲部を設けたものを使用する。
【００１８】
一方、フレームは、一枚の鋼板を折曲して構成することもできるが、ＰＣ鋼材の配置高さに対応して側板部を水平板部よりも相当長くする必要がある場合、特に一体型フレームであると、一方の側板部の折曲後に他方の側板部を折曲する際、また側板部を同時に折曲する際においても、側板部の先端同士が干渉して十分な折曲角度が確保できないことがある。そこで、本発明では、水平板部と一対の側板部で鋼板を分割しておき、これらを溶接により接合してフレームを構成するという手段を選択的に用いる。ただし、折曲加工によって一体型フレームを構成することを排除するものではない。つまり、側板部と水平板部とのつなぎ目に関しては、溶接加工と折曲加工の何れでもよい。
【００１９】
また、同一棚材に多数のＰＣ鋼材を載せる場合や、側板部の間隔が大きい場合、棚材がその中央で下方に撓るおそれがある。そこで、特に一体型フレームについては、水平板部の中央から補助鋼板を立設し、該補助鋼板にも貫通孔を形成することで棚材を両端と中央の３点で支持することとした。
【００２０】
なお、本発明においてＰＣ鋼材とは、コンクリートにプレストレスを付与する緊張材を意味し、ＰＣ鋼線、ＰＣ鋼棒およびＰＣ鋼より線、またはＰＣ鋼線やＰＣ鋼より線をシースに挿通したものなどが該当する。
【００２１】
また、適用するＰＲＣ橋桁は、箱桁橋や中空床版橋が代表的であるが、これら橋桁に限定されない。さらに、ＰＣ鋼材はポストテンションとプレテンションのいずれであってもよく、コンクリートも場所打ちのほか、プレキャストによるものであってもよい。
【発明の効果】
【００２２】
本発明の支持具によれば、ＰＲＣ橋桁を構築する際、鉄筋を利用して配置でき、しかも、十分な耐荷重と安定性を維持してＰＣ鋼材を支持することができる。
【図面の簡単な説明】
【００２３】
【図１】本発明の第一実施形態に係る支持具の斜視図
【図２】一枚の鋼板からフレームを構成する場合の要領説明図
【図３】本発明の第二実施形態に係る支持具（フレーム）の側面図
【図４】同、正面図
【図５】本発明の第三実施形態に係る支持具の斜視図
【図６】同支持具において棚材の架け渡し方法を示した説明図
【図７】本発明の第四実施形態に係る支持具の正面図
【図８】本発明の支持具をＰＲＣ橋桁の鉄筋に固定する要領を示した説明図
【図９】図８を橋軸方向に見た正面図
【図１０】本発明の第五実施形態に係る支持具の説明図
【図１１】本発明の支持具の棚材高さとＰＣ鋼材の張り渡し態様の関係を示した説明図
【図１２】本発明の一体型フレームに係る支持具を上下逆さまに使用することの不都合を示す説明図
【発明を実施するための形態】
【００２４】
以下、本発明の実施の形態を添付した図面に従って説明する。図１は本発明に係る支持具の第一実施形態を示し、適当な幅の水平板部１ａの両端に側板部１ｂ・１ｂを立設した鋼板製のフレーム１と、側板部１ｂ・１ｂ間に架け渡す棚材２とを備えている。この実施形態の場合、棚材２は鋼棒からなり、これに対してフレーム１の側板部１ｂ・１ｂには適当な高さ位置に、棚材２を挿通する貫通孔１ｃ・１ｃを設けている。したがって、棚材２を一方の側板部１ｂの側方から貫通孔１ｃに差込み、他方の側板部１ｂの貫通孔１ｃまで挿通することにより、棚材２を側板部１ｂ・１ｂ間に水平に架け渡すことができる。そして、棚材２上にＰＣ鋼材Ｋを載せるが、棚材２は両端が貫通孔により支持されるため、十分な耐荷重をもってＰＣ鋼材Ｋを支持することができる。
【００２５】
なお、棚材２は貫通孔１ｃ・１ｃに差し込む際、勢い余って反対側に抜け出さないように、一端（終端）に屈曲部２ａを設けておくことが好ましい。棚材２は丸鋼棒製のものを示しているが、角鋼棒により製造してもよく、この場合、貫通孔１ｃも丸孔から角孔に変更することができる。
【００２６】
また、この実施形態では、フレーム１を構成するにあたって、それぞれ別の鋼板からなる水平板部１ａと側板部１ｂ・１ｂを溶接継手３により接合して一体化している。これは、一枚の鋼板を折曲して同形状のフレームを得ようとすると、鋼板のバネ復元性を考慮すれば、図２に示したように、側板部１ｂ・１ｂを立設角度（この実施形態の場合は９０度）を超えて内側に余分に折曲する必要があり、側板部１ｂ・１ｂの長さによっては、その先端同士が折曲時に干渉して危険であり、そもそも、当該折曲角度を確保できない場合もあるからである。ただし、溶接継手３による接合一体化はフレーム１の好ましい構成方法という位置付けであり、本発明においては、鋼板を折曲加工したフレーム１を排除するものではない。
【００２７】
図３は、第二実施形態に係る支持具を示したものである。第一実施形態との違いを説明すると、貫通孔１ｃは、その斜め上方に向かって側板部１ｂの正面側の側縁に開口する棚材受け用のスリット１ｄを有している。したがって、棚材２をフレーム１の正面側からスリット１ｄを介して貫通孔１ｃに架け渡すことができる。これは、目的のＰＲＣ橋桁が中空床版橋であり、円筒型枠Ｒに近接してフレーム１が配置されることにより、側板部１ｂの側方に棚材２を横側から差し込むスペースが確保できない場合に有効である。
【００２８】
また、スリット１ｄは貫通孔１ｃが底となるように傾斜しているので、棚材２が正面側に抜け出しにくい。これと共に、棚材２は、図４に示すように、両端に屈曲部２ａを設けているので、棚材２の抜け止め効果が高い。
【００２９】
さらに、貫通孔１ｃは、側板部１ｂの上下複数箇所に設けることが可能である。このように、貫通孔１ｃを複数備えたフレーム１であれば、棚材２の架け渡し高さ、即ちＰＣ鋼材Ｋを所望の高さで支持することができる。
【００３０】
図５は、本発明の第三実施形態を示している。この実施形態は、フレーム１に関して、棚材２を架け渡す構造を第一と第二の実施形態で説明した貫通孔１ｃと棚材受け用スリット１ｄを組み合わせて構成している。即ち、一対ある側板部１ｂ・１ｂのうち、一方の側板部１ｂには第一実施形態の貫通孔１ｃを設け、他方の側板部１ｂには第二実施形態の棚材受け用スリット１ｄを設けている。
【００３１】
一方、棚材２の構造は、第二実施形態と同じであり、丸鋼棒の両端に屈曲部２ａを設けてなる。そして、この棚材２は、図６に示すように、屈曲部２ａ・２ａを上に向けて一端の屈曲部２ａを、同図において断面で示した一方の側板部１ｂの貫通孔１ｃに内側から挿入し、当該貫通孔１ｃを支点として棚材２を回動して、他方の側板部１ｂのスリット１ｄに上方から係合することで、フレーム１に架け渡すことができる。なお、屈曲部２ａ・２ａは自重により下向きになる。
【００３２】
このように架け渡された棚材２は、フレーム１の側方に差し込みスペースがない場合でも、フレーム１の正面側から棚材２を架け渡すことができ、しかも、両端の屈曲部２ａ・２ａにより軸方向の抜け出しを防止することができる。また、棚材２はフレーム１に架け渡した状態で、一端の屈曲部２ａが貫通孔１ｃの外側に突出しているため、丸鋼棒の水平軸が貫通孔１ｃによる拘束を受けて、棚材２が回動しないようになっており、この結果、他端側がスリット１ｄから抜け出すこともない。
【００３３】
上述した二つの実施形態では、数本までのＰＣ鋼材Ｋを支持することができるが、橋桁の規模によっては十本以上のＰＣ鋼材Ｋを支持しなければならない場合があり、上記実施形態のような両端支持では棚材２が中央で撓ってしまい、適正な高さでＰＣ鋼材Ｋを支持できないおそれがある。そこで、第四実施形態として、図７に示したように、水平板部１ａの中間に補助鋼板４を追加的に立設し、この補助鋼板４にも支持孔４ａを形成するという手段が有効である。この第四実施形態によれば、棚材２が重みによって最も撓りやすい中間部分が補助鋼板４によって補強されるため、より多くのＰＣ鋼材Ｋを支持することができるようになる。
【００３４】
図８は、本発明の支持具Ｓ（第一実施形態のもの）をＰＲＣ橋桁の鉄筋に対して配置する要領を示したものである。即ち、ＰＲＣ橋桁は基本的な配筋構造として、橋軸方向に上下２本ずつ主筋５を配置し、該主筋５を取り囲んでスターラップ６を配置している。なお、７は下床版部に配置したスペーサ、８はスペーサ７上に配置した組み立て筋（段取り筋、あるいは捨て筋とも呼ばれる）、９は組み立て筋８上に配置した横方向鉄筋、１０はスラーラップ６の腹部に配置した軸方向鉄筋である。
【００３５】
このような配筋構造の鉄筋に対して、本発明の支持具Ｓは、水平板部１ａを主筋５のうちの下側鉄筋上に配置し、適宜結束等により固定すると共に、側板部１ｂ・１ｂそれぞれをスターラップ６の左右縦筋６ａ・６ａそれぞれに結束することで固定される。なお、水平板部１ａは組み立て筋８上に配置することも可能である。この要領で本支持具Ｓを複数、適当な間隔で固定していくことで、ＰＣ鋼材Ｋをスターラップ６の内側に位置させた状態で橋軸方向に張り渡すことができる。
【００３６】
なお、図８では、フレーム１の側板部１ｂ・１ｂそれぞれがスターラップ６の縦筋６ａ・６ａの内側に位置した状態が示されている。しかし、縦筋６ａ・６ａの間隔が図示のものよりも狭い場合は、その外側に側板部１ｂ・１ｂが位置することになる。このように、側板部１ｂ・１ｂが縦筋６ａ・６ａの内側と外側のどちらに位置するかは、フレーム１とスターラップ６の寸法関係によるもので、本発明は何れかに限定するものではない。
【００３７】
この点、スターラップ６の縦筋６ａ・６ａの腹部内側に軸方向鉄筋１０が配筋される場合、図９に示したように、さらにその内側に、左右一対の側板部１ｂ・１ｂを軸方向鉄筋１０に内接するようにフレーム１を配置することで、側板部１ｂ・１ｂの左右の移動が軸方向鉄筋１０で規制されるため、フレーム１を安定して取り付けることができる。なお、１１は針金等の結束線であって、側板部１ｂ・１ｂを縦筋６ａ・６ａに固定するものであり、側板部１ｂの長さ等によっては軸方向鉄筋１０にも結束することができる。このような結束は、水平板部１ａと主筋５または組み立て筋８についても適宜採用することが好ましい。本支持具は構造強度上、橋桁の構成部材ではないが、フレーム１を確実に鉄筋に固定することで、ＰＣ鋼材Ｋを安定して支持することができるからである。
【００３８】
ところで、実際の現場においては、スターラップ６の縦筋６ａ・６ａの間隔は、そのＰＲＣ橋桁の規模等によって異なってくる。したがって、上述した第一から第四の実施形態のように、一対の側板部１ｂ・１ｂと水平板部１ａを一体化したフレーム１（一体型フレーム）では、側板部１ｂ・１ｂの間隔が水平板部１ａによって一定に保持されているため、常に図９のような配置態様とすることができない場合がある。
【００３９】
一般に主筋５やスターラップ６は、スペーサ７や組み立て筋８を用いて、設計図に明示された位置を確保している。そして、本発明のフレーム１は、主筋５に水平板部１ａを配置することが橋桁の強度や構造に影響する場合、組み立て筋８に水平板部１ａを配置することを許容するが、スペーサ７と組み立て筋８はかぶり厚を確保しながら主筋５を配置するもので、設計図に記載されない場合が多く、現場で適宜に設けられている。つまり、主筋５に水平板部１ａを配置するのであれば、予め設計図を確認することによって、適当なフレーム１を用意することができるが、組み立て筋７に配置する場合は、現場でしか、その配筋態様を確認できないといった問題がある。
【００４０】
そこで、本発明では、第五実施形態として、図１０に示した分割型フレームを使用する。この分割型フレームは、左右の側板部１ｂ・１ｂごとに、その下端に水平板部１ａ・１ａを設けたＬ字形の分割フレーム１Ａ・１Ｂを２つ一組で構成したものである。そして、鉄筋に対しては、互いの水平板部１ａ・１ａが対向するように配置する。即ち、この分割フレームにおいても、水平板部１ａ・１ａを設置ベースとして主筋５または組み立て筋８上に配置し、各側板部１ｂ・１ｂをスターラップ６の縦筋６ａ・６ａに結束線１１等で固定することは、上述した一体型フレームと同じであるが、分割フレーム１Ａ・１Ｂは独立しているため、あらゆる間隔の配筋に対応することができる。
【００４１】
なお、分割型フレームにおいても、棚材および、これを架け渡す貫通孔やスリットに関しては、一体型フレームと同じ構成を採用することができる。また、フレームの成型方法は、一枚の鋼板をＬ字形に折曲加工して分割フレーム１Ａ・１Ｂそれぞれを成型することが簡便であるが、鋼板の厚みによっては、折曲加工よりも水平板部１ａと側板部１ｂとで別々の鋼板を溶接して分割フレームを得るほうが有利な場合もあり、本発明は何れをも含む。さらに、一体型フレームの水平板部を切断して、左右一対の分割フレームを得ることも、本発明から排除するものではない。逆に、一体型フレームは、左右一方の側板部を折曲加工して成型し、他方の側板部は溶接で設けることもできる。つまり、所定長の長さの鋼板をＬ字形に折曲加工し、その水平板部に相当する部分の一端に、別の鋼板（後に片側の側板部に相当する部分）を溶接して構成した一体型フレームも本発明の範囲に含まれるのである。
【００４２】
そして、上述した第一から第五の実施形態において、全ての支持具Ｓで棚材２の高さが同じであれば、ＰＣ鋼材Ｋは水平に張り渡されるが、棚材２の高さを変えることで、図１１に示したように、ＰＣ鋼材Ｋを弓なりに張り渡すことも可能である。
【００４３】
一方、本発明の支持具は、水平板部１ａを下側にして、上述した要領で鉄筋に固定することにより、安定して固定することができる。逆に、図１２に示したように、一体型フレームにおける水平板部１ａを上側にして、側板部１ｂ・１ｂの開放端部を下側にして固定する場合は、側板部１ｂ・１ｂの前記端部を下側主筋５や組み立て筋８に載せることができず、仮にスペーサ７に載せると、荷重によりスペーサ７を破壊してしまうおそれがあり、安定的な固定は期待することができない。これは分割型フレームであっても同じことがいえる。
【符号の説明】
【００４４】
１  鋼板製フレーム
１ａ  水平板部
１ｂ  側板部
１ｃ  貫通孔
１ｄ  スリット
２  棚材
２ａ  屈曲部
３  溶接（部）
４  補助鋼板
５  主筋
６  スターラップ
６ａ  左右縦筋
７  スペーサ
８  組み立て筋
Ｋ  ＰＣ鋼材
Ｒ  円筒型枠
Ｓ  本発明の支持具
【図１】
2014224342.tif 000003
【図２】
2014224342.tif 000004
【図３】
2014224342.tif 000005
【図４】
2014224342.tif 000006
【図５】
2014224342.tif 000007
【図６】
2014224342.tif 000008
【図７】
2014224342.tif 000009
【図８】
2014224342.tif 000010
【図９】
2014224342.tif 000011
【図１０】
2014224342.tif 000012
【図１１】
2014224342.tif 000013
【図１２】
2014224342.tif 000014